(57)【要約】モバイル通信システムで、基地局間制御メッセージを利用して隣接基地局情報を移動局加入者に提供する方法が開示される。この方法は、サービング基地局で、通信網ネットワークを通じてサーバーに直接的、またはサーバーを経由して少なくとも一つの隣接基地局の物理チャンネル情報を獲得する段階と、前記獲得された物理チャンネル情報を前記サービング基地局からそれに接続された移動局加入者に周期的に伝送する段階と、前記更新された物理チャンネル情報に基礎して、前記少なくとも一つの基地局の信号品質を前記移動局加入者でが定する段階と、を含む。したがって、サービング基地局は隣接基地局から隣接基地局情報を含む基地局間制御メッセージを受信し、この情報を更新し、ハンドオーバーまたはネットワークエントリーのような特定用途に使用されるように更新された情報を対応する移動局加入者に提供する。
2007536874.tif 000002
【特許請求の範囲】
【請求項１】
モバイル通信システムで隣接基地局情報を通信する方法であって、
第１の基地局で、少なくとも一つの隣接基地局から隣接基地局情報を獲得する段階として、前記隣接基地局情報は、前記少なくとも一つの隣接基地局に対応し、通信網ネットワークを通じて前記第１の基地局に提供される段階と、
前記獲得された隣接基地局情報を前記第１の基地局からそれに接続された移動局加入者に伝送する段階と、
を含むことを特徴とする方法。
【請求項２】
前記移動局加入者は、特定用途の前記隣接基地局情報を利用することを特徴とする請求項１に記載の方法。
【請求項３】
前記特定用途は、前記基地局と前記少なくとも一つの隣接基地局のターゲット基地局との間のハンドオーバー動作に対応することを特徴とする請求項２に記載の方法。
【請求項４】
前記特定用途は、ネットワークエントリーのインスタンス（ｉｎｓｔａｎｃｅ）に対応することを特徴とする請求項２に記載の方法。
【請求項５】
前記隣接基地局情報は、前記少なくとも一つの隣接基地局との接続のための物理チャンネル情報を含むことを特徴とする請求項１に記載の方法。
【請求項６】
前記隣接基地局情報は、基地局識別子、物理周波数情報、アップリンクチャンネル既述子及びダウンリンクチャンネル既述子を含むことを特徴とする請求項１に記載の方法。
【請求項７】
前記モバイル通信システムは、広帯域無線アクセスシステムであることを特徴とする請求項１に記載の方法。
【請求項８】
前記第１の基地局は、サービング基地局であることを特徴とする請求項１に記載の方法。
【請求項９】
前記第１の基地局は、複数の基地局間の制御メッセージを前記通信網ネットワークを通じて前記少なくとも一つの隣接基地局と交換することにより前記隣接基地局情報を獲得することを特徴とする請求項１に記載の方法。
【請求項１０】
前記複数の基地局間制御メッセージは、前記隣接基地局情報を要請するための基地局情報要請と、前記基地局情報要請に応答する基地局情報応答と、を含み、
前記基地局情報要請は、前記サービング基地局から前記少なくとも一つの隣接基地局各々に伝送され、前記基地局情報応答は、各々の隣接基地局から前記サービング基地局に伝送されることを特徴とする請求項９に記載の方法。
【請求項１１】
前記基地局情報応答は、前記少なくとも一つの隣接基地局とは異なる隣接基地局にさらに伝送されることを特徴とする請求項１に記載の方法。
【請求項１２】
前記基地局情報要請は、メッセージタイプ、伝送者基地局識別、ターゲット基地局識別、メッセージ認証及びエラー修正のための各々のフィールドを含むことを特徴とする請求項１０に記載の方法。
【請求項１３】
メッセージタイプ、伝送者基地局識別、ターゲット基地局識別、メッセージ認証及びエラー修正のための各々の前記フィールドは、各々８ビット、４８ビット、４８ビット及び３２ビットで構成されることを特徴とする請求項１２に記載の方法。
【請求項１４】
前記基地局情報要請は、前記第１の基地局からサーバーを通じて前記少なくとも一つの隣接基地局に伝送されることを特徴とする請求項１０に記載の方法。
【請求項１５】
前記サーバーは、管理機能サーバーであることを特徴とする請求項１４に記載の方法。
【請求項１６】
前記基地局情報応答は、メッセージタイプ、伝送者基地局識別、ターゲット基地局識別、物理周波数、前記隣接基地局情報の変化に対して増加する構成変化カウント、履歴臨界値、ＭＡＨＯ（Ｍｏｂｉｌｅ−ａｓｓｉｓｔｅｄ  ｈａｎｄｏｖｅｒ）レポート周期、タイプ−長さー値符号化情報、メッセージ認証及びエラー修正のための各々のフィールドを含むことを特徴とする請求項１０に記載の方法。
【請求項１７】
メッセージタイプ、伝送者基地局識別、ターゲット基地局識別、メッセージ認証及びエラー修正のための各々の前記フィールドは、各々８ビット、４８ビット、４８ビット及び３２ビットで構成されることを特徴とする請求項１６に記載の方法。
【請求項１８】
前記基地局情報応答は、前記第１の基地局からサーバーを通じて前記少なくとも一つの隣接基地局に伝送されることを特徴とする請求項１０に記載の方法。
【請求項１９】
前記サーバーは、管理機能サーバーであることを特徴とする請求項１８に記載の方法。
【請求項２０】
前記隣接基地局情報は、ダウンリンク中心周波数情報、アップリンクチャンネル既述子及びダウンリンクチャンネル既述子を含むことを特徴とする請求項１に記載の方法。
【請求項２１】
前記隣接基地局情報は、前記移動局加入者に周期的に伝送されたメッセージに含まれることを特徴とする請求項１に記載の方法。
【請求項２２】
前記移動局加入者は、前記隣接基地局情報に含まれた前記メッセージを利用してネットワークエントリーのインスタンスに対する前記少なくとも一つの隣接基地局情報の特性及びネットワークを識別することを特徴とする請求項２１に記載の方法。
【請求項２３】
前記隣接基地局情報は、前記隣接基地局情報の各変化に対して、前記少なくとも一つの隣接基地局から前記第１の基地局及び前記少なくとも隣接基地局とは異なる隣接基地局に伝送されることを特徴とする請求項１に記載の方法。
【請求項２４】
前記隣接基地局情報は、前記隣接基地局情報の各変化に対して、前記少なくとも一つの隣接基地局から前記第１の基地局及び前記少なくとも一つの隣接基地局とは異なる隣接基地局に周期的に伝送されることを特徴とする請求項１に記載の方法。
【請求項２５】
前記少なくとも一つの移動局加入者は、前記隣接基地局情報を利用して前記少なくとも一つの隣接基地局情報を同期化することを特徴とする請求項１に記載の方法。
【請求項２６】
前記同期化は、前記少なくとも一つの隣接基地局のターゲット基地局からのダウンリンク／アップリンクチャンネル記述子放送伝送をモニタリングしないで実行されることを特徴とする請求項２５に記載の方法。
【請求項２７】
モバイル通信システムで隣接基地局情報を通信する方法であって、
サービング基地局で、複数の基地局間制御メッセージを利用して通信網ネットワークを通じて交換され、少なくとも一つの隣接基地局に対応する物理チャンネル情報を獲得する段階と、
各々の伝送の間に更新される前記獲得された物理チャンネル情報を前記サービング基地局からそれに接続された移動局加入者に周期的に伝送する段階と、
前記移動局加入者が前記更新された物理チャンネル情報に基礎して前記少なくとも一つの基地局の信号品質を測定する段階と、
を含むことを特徴とする方法。
【請求項２８】
前記基地局間制御メッセージは、前記隣接基地局情報を要請するための基地局情報要請と、前記基地局情報要請に応答する基地局情報応答と、を含み、
前記基地局情報要請は、前記サービング基地局から前記少なくとも一つの隣接基地局に伝送され、前記基地局情報応答は、各々の隣接基地局から前記サービング基地局に伝送されることを特徴とする請求項２７に記載の方法。
【請求項２９】
前記基地局情報応答は、前記少なくとも一つの隣接基地局とは異なる隣接基地局にさらに伝送されることを特徴とする請求項２８に記載の方法。
【請求項３０】
前記基地局間制御メッセージは、前記サービング基地局と前記少なくとも一つの隣接基地局との間で直接交換されることを特徴とする請求項２７に記載の方法。
【請求項３１】
前記基地局間制御メッセージは、前記サービング基地局と前記少なくとも一つの隣接基地局との間で機能的に介在されたサーバーを通じて交換されることを特徴とする請求項２７に記載の方法。
【請求項３２】
前記基地局間制御メッセージは、前記サーバーと前記少なくとも一つの隣接基地局との間で交換されることを特徴とする請求項３１に記載の方法。
【請求項３３】
前記物理チャンネル情報は、前記サービング基地局で更新されることを特徴とする請求項２７に記載の方法。
【請求項３４】
前記物理チャンネル情報は、前記少なくとも一つの隣接基地局で更新されることを特徴とする請求項３３に記載の方法。
【請求項３５】
前記物理チャンネル情報は、前記基地局間制御メッセージを通じて前記少なくとも一つの隣接基地局から更新情報を周期的に要請する前記サービング基地局により更新されることを特徴とする請求項２７に記載の方法。
【請求項３６】
前記少なくとも一つの隣接基地局は、前記要請に応答して前記更新された情報を前記サービング基地局に伝送することを特徴とする請求項３５に記載の方法。
【請求項３７】
前記物理チャンネル情報は、前記隣接基地局情報を前記少なくとも一つの隣接基地局から前記サービング基地局に伝送することにより更新されることを特徴とする請求項２７に記載の方法。
【請求項３８】
前記隣接基地局情報は、前記少なくとも一つの隣接基地局の物理チャンネル情報における各変化に対して伝送されることを特徴とする請求項３７に記載の方法。
【請求項３９】
モバイル通信システムで隣接基地局情報を通信する方法であって、
サービング基地局とそれに接続された移動局加入者との間で初期化及び登録プロセスを実行する段階と、
前記サービング基地局で、前記サービング基地局と少なくとも一つの隣接基地局との間で通信網ネットワークを通じて基地局間制御メッセージを交換することにより前記隣接基地局情報を獲得する段階と、
前記隣接基地局情報に対して、前記サービング基地局から周期的に獲得された情報を前記移動局加入者が獲得して伝送する過程を周期的に実行することにより前記隣接基地局情報を更新する段階と、
を含むことを特徴とする方法。
【請求項４０】
前記基地局間制御メッセージは、前記サービング基地局と前記少なくとも一つの隣接基地局との間で直接交換されることを特徴とする請求項３９に記載の方法。
【請求項４１】
前記基地局間制御メッセージは、前記隣接基地局情報を要請するための基地局情報要請と、前記基地局情報要請に応答する基地局情報応答と、を含み、
前記基地局情報要請は、前記サービング基地局から前記少なくとも一つの隣接基地局に伝送され、前記基地局情報応答は、前記少なくとも一つの隣接基地局各々から前記サービング基地局に伝送されることを特徴とする請求項４０に記載の方法。
【請求項４２】
前記基地局間制御メッセージは、サーバーを通じて交換されることを特徴とする請求項３９に記載の方法。
【請求項４３】
前記基地局間制御メッセージは、前記隣接基地局の情報を要請するための前記サービング基地局から前記サーバーに伝送された第１の基地局情報要請メッセージと、前記第１の基地局情報要請によって前記サーバーから前記少なくとも一つの隣接基地局に伝送された第２の基地局情報要請メッセージと、前記第２の基地局情報要請メッセージに応答して前記少なくとも一つの隣接基地局から前記サーバーに伝送された第１の基地局情報応答メッセージと、前記サーバーから前記サービング基地局に伝送された第２の基地局情報応答メッセージと、を含むことを特徴とする請求項４２に記載の方法。
【請求項４４】
前記サーバーは、管理機能サーバーであることを特徴とする請求項４２に記載の方法。
【請求項４５】
モバイル通信システムで隣接基地局情報を通信する方法であって、
サービング基地局とそれに接続された移動局加入者との間で初期化及び登録プロセスを実行する段階と、
前記サービング基地局で、前記サービング基地局と少なくとも一つの隣接基地局との間で通信網ネットワークを通じて基地局間制御メッセージを交換することにより前記隣接基地局情報を獲得する段階と、
前記隣接基地局情報に対して前記サービング基地局から周期的に獲得された情報を前記移動局加入者が獲得して伝送する過程を周期的に実行することにより前記隣接基地局情報を更新する段階と、を含み、
前記更新は、前記初期化及び登録プロセスの完了によって連続して実行されることを特徴とする方法。
【請求項４６】
前記基地局間制御メッセージは、前記サービング基地局と前記少なくとも一つの隣接基地局との間で直接交換されることを特徴とする請求項４５に記載の方法。
【請求項４７】
前記基地局間制御メッセージは、前記隣接基地局情報を要請するための基地局情報要請と、前記基地局情報要請に応答する基地局情報応答と、を含み、
前記基地局情報要請は、前記サービング基地局から前記少なくとも一つの隣接基地局に伝送され、前記基地局情報応答は、前記少なくとも一つの隣接基地局各々から前記サービング基地局に伝送されることを特徴とする請求項４６に記載の方法。
【請求項４８】
前記基地局間制御メッセージは、サーバーを通じて交換されることを特徴とする請求項４５に記載の方法。
【請求項４９】
前記基地局間制御メッセージは、前記隣接基地局の情報を要請するための前記サービング基地局から前記サーバーに伝送された第１の基地局情報要請メッセージと、前記第１の基地局情報要請によって前記サーバーから前記少なくとも一つの隣接基地局に伝送された第２の基地局情報要請メッセージと、前記第２の基地局情報要請メッセージに応答して前記少なくとも一つの隣接基地局から前記サーバーに伝送された第１の基地局情報応答メッセージと、前記サーバーから前記サービング基地局に伝送された第２の基地局情報応答メッセージと、を含むことを特徴とする請求項４８に記載の方法。
【請求項５０】
前記サーバーは、管理機能サーバーであることを特徴とする請求項４８に記載の方法。
【請求項５１】
モバイル通信システムで隣接基地局情報を通信する方法であって、
サービング基地局とそれに接続された移動局加入者との間で初期化及び登録プロセスを実行する段階と、
前記サービング基地局で、前記サービング基地局と少なくとも一つの隣接基地局との間で通信網ネットワークを通じて基地局間制御メッセージを交換することにより前記隣接基地局情報を獲得する段階と、
前記隣接基地局情報に対して前記サービング基地局から周期的に獲得された情報を前記移動局加入者が前記隣接基地局情報の変化の間に獲得して伝送する過程を周期的に実行することにより前記隣接基地局情報を更新する段階と、を含み、
前記更新は、前記初期化及び登録プロセスの完了によって連続して実行されることを特徴とする方法。
【請求項５２】
前記サービング基地局は、前記隣接基地局情報における変化の各伝送が前記少なくとも一つの隣接基地局の中でいずれの一つから受信されるうちに前記更新された隣接基地局情報を前記移動局加入者に伝送することを特徴とする請求項５１に記載の方法。
【請求項５３】
前記隣接基地局情報は、前記サービング基地局で更新されることを特徴とする請求項５２に記載の方法。
【請求項５４】
前記隣接基地局情報は、前記少なくとも一つの隣接基地局で更新されることを特徴とする請求項５３に記載の方法。
【請求項５５】
前記基地局間制御メッセージは、前記サービング基地局と前記少なくとも一つの隣接基地局との間で直接交換されることを特徴とする請求項５１に記載の方法。
【請求項５６】
前記基地局間制御メッセージは、前記隣接基地局情報を要請するための基地局情報要請と、前記基地局情報要請に応答する基地局情報応答と、を含み、
前記基地局情報要請は、前記サービング基地局から前記少なくとも一つの隣接基地局に伝送され、前記基地局情報応答は、前記少なくとも一つの隣接基地局各々から前記サービング基地局に伝送されることを特徴とする請求項５５に記載の方法。
【請求項５７】
前記基地局間制御メッセージは、サーバーを通じて交換されることを特徴とする請求項５１に記載の方法。
【請求項５８】
前記基地局間制御メッセージは、前記隣接基地局の情報を要請するための前記サービング基地局から前記サーバーに伝送された第１の基地局情報要請メッセージと、前記第１の基地局情報要請メッセージによって前記サーバーから前記少なくとも一つの隣接基地局に伝送された第２の基地局情報要請メッセージと、前記第２の基地局情報要請メッセージに応答して前記少なくとも一つの隣接基地局から前記サーバーに伝送された第１の基地局情報応答メッセージと、前記サーバーから前記サービング基地局に伝送された第２の基地局情報応答メッセージと、を含むことを特徴とする請求項５７に記載の方法。
【請求項５９】
前記サーバーは、管理機能サーバーであることを特徴とする請求項５７に記載の方法。
【発明の詳細な説明】
【技術分野】
【０００１】
本発明は、隣接基地局情報をモバイル通信システム内の移動局加入者に通信する方法に関する。
【背景技術】
【０００２】
無線移動インターネットシステムのような広帯域無線アクセスシステムにおいて、移動局加入者は隣接基地局から信号を受信し、その信号品質を測定してハンドオーバーを実行する前に最適の基地局をサーチする。隣接基地局の信号品質がサービング（ｓｅｒｖｉｎｇ）基地局の信号品質より優れる場合、移動局加入者はハンドオーバーを実行する。この時、無線移動インターネットシステム内の移動局加入者はエアバックボーン（ａｉｒ  ｂａｃｋｂｏｎｅ）を通じて基地局間にハンドオーバーを実行する。
【０００３】
移動局加入者は隣接基地局との同期化を同調し、信号を受信してその信号品質を測定し、ハンドオーバーに要求されるパラメーターをハンドオーバーターゲット基地局に伝送するかハンドオーバーターゲット基地局から受信する。その結果、はやいハンドオーバーはハンドオーバーが実質的に実行される時に可能になる。すなわち、サービング基地局は隣接基地局の情報を放送メッセージを通じてサービング基地局内のすべての移動局加入者に周期的に伝送する。以下で隣接基地局情報として言及される伝送情報は、例えば、ダウンリンク中心周波数、基地局識別子及びアップリンク／ダウンリンクチャンネル情報を含む。
【０００４】
隣接基地局の情報を受信した移動局加入者は、特定周期の間にサービング基地局との接続を解除して移動基地局からシンク（ｓｙｎｃ）を要求し、その後、信号を受信して各信号の品質を測定する。
【０００５】
以下、従来技術によるＭＡＣ（ｍｅｄｉｕｍ  ａｃｃｅｓｓ  ｃｏｎｔｒｏｌ）のハンドオーバー手続きについて後述する。
【０００６】
図１は、ネットワークトポロジー公示（ｔｏｐｏｌｏｇｙ  ａｄｖｅｒｔｉｓｅｍｅｎｔ）を示した図である。図１を参照すれば、サービング基地局は、ＭＡＣを利用してサービング基地局内のすべての移動局加入者に隣接基地局の情報を伝達する。ＭＡＣ制御メッセージは、隣接基地局のアップリンク／ダウンリンクチャンネル情報を含む物理チャンネル情報を提供する。メッセージを受信した移動局加入者は隣接基地局とのシンクを効率的に要求することができる。
【０００７】
図２は、隣接基地局のスキャニングプロセスを示した図である。図２を参照すれば、サービング基地局は、隣接基地局をモニタリングするための時間を移動局加入者に割り当ててハンドオーバーに適当なターゲット基地局を見つける。その割り当てられた時間をスキャニング周期と呼ぶ。スキャニング周期の間、移動局加入者は現在のサービング基地局との接続を解除し、隣接基地局のダウンリンク伝送信号とのシンクを同調し、物理チャンネルの品質を測定する。スキャニング周期の間、サービング基地局は移動局加入者に伝達するダウンリンクデータをバッファリングする。スキャニング周期が満了された場合、サービング基地局はバッファリングされたデータを移動局加入者に伝送する。また、この時、隣接基地局から伝達された信号を測定して、潜在的なハンドオーバーターゲット基地局とのハンドオーバー時に交換されるパラメーターをあらかじめ交換することにより、実在ハンドオーバーが発生する場合に迅速なハンドオーバーが可能とする手続きが実行される。
【０００８】
図３は、ハンドオーバー初期化手続きを示した図である。図３を参考すれば、隣接基地局の信号品質が測定する。隣接基地局がサービング基地局より優れた信号品質を有する場合、ハンドオーバーを実行する手続きが実行される。すなわち、移動局加入者はハンドオーバーターゲット基地局に対するハンドオーバー要請メッセージをサービング基地局に伝達する方式でハンドオーバーを初期化する。
【０００９】
しかし、サービング基地局により移動局加入者に提供された隣接基地局情報が放送制御メッセージで定義されると言っても、従来の方法ではサービング基地局が隣接基地局情報を獲得する方法を提案していなかった。
【発明の開示】
【発明が解決しようとする課題】
【００１０】
したがって、本発明は上述したような従来技術の問題点を解決するためになされたもので、その目的は、隣接基地局情報をモバイル通信システム内の移動局加入者と通信する方法を提供することにある。
【００１１】
本発明の他の目的は、サービング基地局がモバイル通信システム内の通信網ネットワークを通じて隣接基地局の情報を獲得してこの獲得された情報を対応する移動局加入者に提供することにより、隣接基地局情報をモバイル通信システム内の移動局加入者と通信する方法を提供することにある。
【００１２】
本発明のまた他の目的は、基地局情報が基地局間（ｉｎｔｅｒ−ｂａｓｅ  ｓｔａｔｉｏｎ）制御メッセージを通じて基地局の間で交換されることにより、隣接基地局情報をモバイル通信システム内の移動局加入者と通信する方法を提供することにある。
【課題を解決するための手段】
【００１３】
前記目的を達成するための本発明の様態によれば、モバイル通信システムで隣接基地局と通信する方法であって、第１の基地局で、少なくとも一つの隣接基地局に対応して通信網ネットワークを通じて第１の基地局に提供される隣接基地局情報を少なくとも一つの隣接基地局から獲得する段階と、獲得された隣接基地局情報を第１の基地局から第１の基地局と接続された移動局加入者に伝送する段階と、を含む。移動局加入者はその後特定用途の隣接基地局情報を利用することができる。
【００１４】
本発明のほかの様態によれは、モバイル通信システムで隣接基地局情報を通信する方法であって、サービング基地局で、複数の基地局間制御メッセージを利用して通信網ネットワークを通じて交換された少なくとも一つの隣接基地局に対応する物理チャンネル情報を獲得する段階と、各々の伝送の間に更新される獲得された物理チャンネル情報をサービング基地局から移動局加入者に周期的に伝送する段階と、移動局加入者が更新された物理チャンネル情報に基礎して少なくとも一つの隣接基地局の信号品質を測定する段階と、を含む。
【００１５】
好ましくは、基地局間制御メッセージは、サーバーと、サービング基地局と隣接基地局との間で動作するサーバーを利用する各々の隣接基地局と、の間に伝達される。
【００１６】
本発明に係る前述した課題を解決するための手段の説明と後述する実施形態の説明は、例示であり、説明目的のものであり、本発明のさらなる説明を提供することを意図していることを理解すべきである。
【発明を実施するための最良の形態】
【００１７】
以下、本発明の好ましい実施の形態について、添付図面を参照しつつ詳細に説明する。
【００１８】
本発明の一事実施例において、隣接基地局情報を広帯域無線アクセスシステムのようなモバイル通信システムに提供するために、サービング基地局は少なくとも一つの隣接基地局から少なくとも一つの隣接基地局の情報を通信網ネットワークを通じて直接獲得する。サービング基地局は隣接基地局の情報をサービング基地局に属する少なくとも一つの移動局加入者に伝送する。その結果、少なくとも一つの移動局加入者は特定用途の少なくとも一つの隣接基地局の情報を利用することができる。
【００１９】
サービング基地局は、隣接基地局の物理チャンネル情報を通信網ネットワークを通じて基地局間制御メッセージを経由して隣接基地局から直接獲得する。サービング基地局は獲得された物理チャンネル情報をサービング基地局の管理ドメインに属する少なくとも一つの移動局加入者に周期的に伝送する。少なくとも一つの移動局加入者は少なくとも一つの隣接基地局の信号品質を測定する時に獲得された物理チャンネル情報を利用する。
【００２０】
隣接基地局情報は、基地局識別子と、物理周波数と、アップリンクチャンネル記述子（ＵＣＤ：ｕｐｌｉｎｋ  ｃｈａｎｎｅｌ  ｄｅｓｃｒｉｐｔｏｒ）と、ダウンリンクチャンネル記述子（ＤＣＤ：ｄｏｗｎｌｉｎｋ  ｃｈａｎｎｅｌ  ｄｅｓｃｒｉｐｔｏｒ）と、を含む。上述のように、サービング基地局は基地局間制御メッセージを少なくとも一つの隣接基地局と交換して少なくとも一つの隣接基地局の情報を獲得する。
【００２１】
少なくとも一つの隣接基地局の情報はサービング基地局の管理ドメインに属する少なくとも一つの移動局加入者にサービング基地局からメッセージを通じて伝送される。少なくとも一つの隣接基地局の情報は少なくとも一つの移動局加入者にメッセージを通じて周期的に伝送される。少なくとも一つの移動局加入者はメッセージを通じて伝送された少なくとも一つの隣接基地局の情報を利用してネットワークを識別し、少なくとも一つの移動局加入者が見つめる有力な初期ネットワークに対する少なくても一つの隣接基地局の特性を定義する。少なくとも一つの移動局加入者はサービング基地局から隣接基地局の中でターゲット基地局にハンドオーバー用メッセージを通じて伝送された情報を利用する。
【００２２】
各々の隣接基地局はその情報変化が発生する時ごとにその情報をサービング基地局及び他の隣接基地局に伝送することができる。各々の隣接基地局はその情報をサービング基地局及び他の隣接基地局に周期的に伝送することができる。一方、少なくとも一つの移動局加入者は、隣接基地局の中でターゲット基地局からの伝送をモニタリングしないで容易に隣接基地局の情報を利用してダウンリンクチャンネル記述放送及びアップリングクチャンネル記述放送に対する少なくても一つの隣接基地局とのシンク同調する。
【００２３】
基地局間制御メッセージは、サービング基地局から少なくとも一つの隣接基地局に隣接基地局情報を要請するように伝送された基地局情報要請メッセージと、基地局情報要請メッセージに応答して各々の隣接基地局からサービング基地局及び他の隣接基地局に伝送された基地局情報応答と、を含む。
【００２４】
基地局情報要請は各々の割り当てられたフィールドによる各種パラメーターを記述するメッセージとして、８ビットのメッセージタイプフィールド、４８ビットの伝送者基地局識別子、４８ビットのターゲット基地局識別子、メッセージ認証用の保安フィールド、３２ビットのエラー修正フィールドを含む。好ましくは、エラー修正はＣＲＣ（ｃｙｃｌｅ  ｒｅｄｕｎｄａｎｃｙ  ｃｈｅｃｋ）コードを利用する。基地局情報要請メッセージはサービング基地局からサーバーを通じて少なくとも一つの隣接基地局に伝送されることができる。
【００２５】
基地局情報応答は各々の割り当てたれたフィールドによる各種パラメーターを記述するメッセージとして、８ビットのメッセージタイプフィールド、４８ビットの伝送者基地局識別子、４８ビットのターゲット基地局識別子、物理周波数、基地局用情報の各変化の場合に増加される構成変化カウント、履歴臨界値、ＭＡＨＯ（Ｍｏｂｉｌｅ−ａｓｓｉｓｔｅｄ  ｈａｎｄｏｖｅｒ）レポート周期、ＴＬＶ（ｔｙｐｅ  ｌｅｎｇｔｈ  ｖａｌｕｅ）符号化情報、保安フィールド及び３２ビットのＣＲＣフィールドを含む。基地局情報要請メッセージは少なくとも一つの隣接基地局からサーバーを通じてサービング基地局に伝送されることができる。隣接基地局情報はダウンリンク中心周波数、アップリンクチャンネル記述子及びダウンリンクチャンネル記述子を含む。
【００２６】
上述のように、サービスを提供するサービング基地局は、基地局間制御メッセージを通じてネットワークトポロジー公示に含まれたパラメーターを隣接基地局と送受信する。この時、本発明の一事実施例で使用される基地局間制御メッセージは、対応する隣接基地局の情報を要請する基地局情報要請メッセージと、基地局情報要請メッセージを受信した基地局各々がその情報を要請基地局、すなわち、サービング基地局に伝達するようにする基地局情報応答メッセージと、に分類される。
【００２７】
表１は、基地局情報要請メッセージの例を示す。
【００２８】
【表１】
2007536874.tif 000003
表２は、基地局情報要請メッセージの例を示す。
【００２９】
【表２】
2007536874.tif 000004
基地局はお互いに制御メッセージを交換し、基地局間制御メッセージを通じて物理チャンネル特性と関連された情報を共有する。また、基地局はお互いに管理機能サーバーを動作させて管理機能サーバーを通じて隣接基地局の情報を獲得する。
【００３０】
［第１の実施形態］
本発明の第１の実施形態によれば、サービング基地局は基地局情報要請メッセージを隣接基地局に伝送し、各隣接基地局から基地局情報要請メッセージを受信して隣接基地局の情報を更新する。
【００３１】
本発明の第１の実施形態よる方法は、サービング基地局を初期化する段階と、サービング基地局と隣接基地局との間で基地局間制御メッセージを通信網ネットワークを通じて交換することによりサービング基地局が隣接基地局の情報を獲得するようにする段階と、サービング基地局とサービング基地局の管理ドメインに属する移動局加入者との間で初期化及び登録プロセスを実行する段階と、隣接基地局の情報をサービング基地局からメッセージを通じて移動局加入者に伝達する段階と、隣接基地局の情報を獲得する段階を周期的に実行して隣接基地局の周期的に獲得された情報をサービング基地局から移動局加入者に伝達し、隣接基地局の情報を周期的に更新する段階と、を含む。
【００３２】
基地局間制御メッセージは、隣接基地局の情報を要請するようにサービング基地局から隣接基地局に伝送された基地局情報要請メッセージと、基地局情報要請メッセージに応答して各々の隣接基地局からサービング基地局に伝送された基地局情報応答メッセージと、を含む。
【００３３】
図４は、本発明の第１の実施形態よる隣接基地局情報の伝送方法を示すフローチャートである。
【００３４】
図４を参照すれば、サービング基地局は、初期化プロセスを実行し（ステップＳ４１１）、隣接基地局、すなわち、第１の基地局及び第２の基地局から基地局情報を要請する（ステップＳ４１２、ステップＳ４１３）。第１の基地局及び第２の基地局は、各々隣接基地局情報要請に応答してその物理チャンネル特性を含む情報をサービング基地局に伝送する（ステップＳ４１４、ステップＳ４１５）。
【００３５】
一方、移動局加入者は、サービング基地局に対する初期化及び登録プロセスを実行し（ステップＳ４１６）、サービング基地局から隣接基地局の情報を受信する（ステップＳ４１７）。サービング基地局から伝送された隣接基地局の情報は後述される隣接公示（ＭＯＢ＿ＮＢＲ＿ＡＤＶ）メッセージのような放送制御メッセージを通じて対応するセル内に存在するすべての移動局加入者に共通的に伝送されることができる。
【００３６】
モバイル機能性を支援する基地局は周期的間隔（ＭＯＢ＿ＮＢＲ＿ＡＤＶ間隔）でＭＯＢ＿ＮＢＲ＿ＡＤＶ管理メッセージを伝送することができ、ネットワークを識別して、初期ネットワークエントリーまたはハンドオーバーを探索する潜在的な移動局加入者に対する隣接基地局の特性を定義する。隣接情報の利用が不可能である場合、このメッセージは伝送する必要がない。
【００３７】
隣接公示メッセージは各々の割り当てられるフィールドによる各種パラメーターを記述するメッセージとして、８ビットの管理メッセージタイプフィールド、２４ビットの演算子識別子、７ビットのＮ＿隣接フィールド、３２ビットの物理周波数フィールド、８ビットの長さフィールド、８ビットの構成変化フィールド、２４ビットの隣接基地局識別子、８ビットの履歴臨界値フィールド、８ビットの物理（ＰＨＹ）プロファイル識別子、８ビットの周波数割り当てインデックス、８ビットの基地局ＥＩＲＰ（ｅｑｕｉｖａｌｅｎｔ  ｉｓｏｔｒｏｐｉｃ  ｒａｄｉａｔｅｄ  ｐｏｗｅｒ）フィールド、８ビットのプリアンブルインデックス／サブチャンネルインデックス、４ビットのＤＣＤ構成変化カウント、４ビットのＵＣＤ構成変化カウント及びＴＬＶ符号化隣接情報を含む。
【００３８】
演算子識別子は、基地局との関連により共有された固有ネットワーク識別子である。このフィールドはスキップ−選択−フィールドビットマップが“０”の値を有する場合にだけ存在する。Ｎ＿隣接は、隣接基地局識別子、プリアンブルインデックス及びダウンリンクチャンネル記述子の固有組み合わせのカウントである。構成変化カウントは、関連された隣接基地局情報が変化する度に増加する。隣接基地局識別子はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）ＰＨＹ層に対する選択的なフィールドとして、“１”のスキップ選択フィールドフラッグに対して省略される。すなわち、基地局識別子の最下位２４ビットは隣接基地局のＤＬ＿ＭＡＰメッセージに含まれる。このフィールドはスキップ選択フィールドビットマップのビット１が“０”である場合にだけ存在する。
【００３９】
長さフィールドは、Ｎ＿隣接の反復内でメッセージ情報の長さをバイトで示す。ＰＨＹプロファイル識別子は、一緒に位置した周波数割り当て指示子、周波数割り当て指示子、ＦＥＴ（ｆａｓｔ  Ｆｏｕｒｉｅｒ  ｔｒａｎｓｆｏｒｍ）サイズ、帯域幅、動作モード（フレームの開始サブチャンネル化の）、及びチャンネル番号の集合である。より詳細に説明すれば、ＰＨＹプロファイル識別子は、一緒に位置した周波数割り当て指示子ビット、周波数割り当て指示子ビット、時間／周波数同期化指示子、基地局ＥＩＲＰ指示子、ＤＣＤ／ＵＣＤ基準指示子、周波数割り当てインデックス指示子及び周波数割り当て番号を含む集合識別子である。一緒に位置した周波数割り当て指示子ビットが設定される場合、プリアンブルインデックス、ハンドオーバープロセス最適化、ＤＣＤ／ＵＣＤ構成変化カウント、ＴＬＶ符号化隣接情報を含むＮＢＲ＿ＡＤＶ素子の次のフィールドは省略できる。
【００４０】
周波数割り当てインデックスフィールドは、ＰＨＹプロファイル識別子内の周波数割り当てインデックス指示子が設定される場合にだけ存在する。そうではなければ、隣接基地局は同一周波数割り当てインデックスを有し、または中心周波数はＴＬＶ符号化情報を利用して表示される。ＰＨＹプロファイル識別子内の周波数割り当てインデックス指示子ビットが“１”に設定される場合、周波数割り当てインデックスはＰＨＹプロファイル識別子次に来る。また、周波数割り当て指示子が後行する場合、ダウンリンク中心周波数はサービス提供者または管理部（例えば、ＦＣＣ）により決定される。基地局ＥＩＲＰは−１２８ｄＢｍ乃至＋１２７ｄＢｍの定数形態である。このフィールドは基地局ＥＩＲＰ指示子がＰＨＹプロファイル識別子に設定される場合にだけ存在する。そうではなければ、基地局はサービング基地局と同一なＥＩＲＰを有する。隣接基地局ＥＩＲＰは−１２８ｄＢｍ乃至＋１２７ｄＢｍの定数形態にリストされる。このフィールドはＰＨＹプロファイル識別子内の基地局ＥＩＲＰ指示子ビットが“０”に設定される場合に省略される。
【００４１】
プリアンブルインデックス／サブチャンネルインデックスパラメーターはＳＣ（１１ＧＨｚ以下の信号キャリアアクセス）及びＯＦＤＭＡ  ＰＨＹに対するＰＨＹ特定プリアンブルを定義する。ＯＦＤＭＡ  ＰＨＹで、５個の最下位ビットは公示された基地局セクターで使われた活性ダウンリンクサブチャンネルインデックスを含む。３個の最上位ビットを保存して“０ｂ０００”に設定される。ＤＣＤ構成変化カウントは、隣接基地局の現在ＤＣＤ構成変化カウントの４個の最下位ビットにより表現される。ＵＣＤ構成変化カウントは隣接基地局の現在ＵＣＤ構成変化カウントの４個の最下位ビットにより表現される。
【００４２】
ＴＬＶ符号化隣接情報は、ＴＬＶパラメーター、ＤＣＤ設定、ＵＣＤ設定及びＰＨＹモード識別子を含む。
【００４３】
ＤＣＤ設定は公示された基地局ダウンリンクチャンネルに伝送されたＤＣＤメッセージをカプセル化するコンパウンドＴＬＶ値である。この情報は公示された基地局ダウンリンクを有する移動局加入者の迅速な同期化を可能とするためのものである。ＤＣＤ設定はサービング基地局の対応する値とは異なる隣接ＤＣＤ  ＴＬＶ値のみを含む。移動局加入者はすべての排除された値がサービング基地局の対応する値と同一であると仮定する。隣接基地局内の複製ＴＬＶ符号化パラメーターはＤＣＤ設定から排除される。
【００４４】
ＵＣＤ設定は公示された基地局ダウンリンクチャンネルに伝送されたＵＣＤメッセージをカプセル化するコンパウンドＴＬＶ値である。この情報は公示された基地局アップリングクを有する移動局加入者の迅速な同期化を可能とするためのものである。ＤＣＤ設定フィールドはサービング基地局の対応する値とは異なる隣接ＵＣＤ  ＴＬＶ値のみを含む。含まれない値に対して、移動局加入者はこれがサービング基地局の対応する値と同一であると仮定する。隣接基地局内の複製ＴＬＶ符号化パラメーターはＵＣＤ設定に含まれない。
【００４５】
ＰＨＹモード識別子は、チャンネル帯域幅、ＦＥＴサイズ、周期的プレフィックス及びフレーム持続時間を含むＰＨＹパラメーターを特定する１６ビットの値である。
【００４６】
基地局のＰＨＹプロファイル識別子のビット別定義について後述する。一緒に位置した周波数割り当て指示子ビットは１ビットであり、周波数割り当て構成指示子ビットは１ビットであり、時間／周波数同期化指示子は２ビットであり、基地局ＥＩＲＰ指示子は１ビットであり、ＤＣＤ／ＵＣＤ基準指示子は１ビットであり、周波数割り当てインデックス指示子は１ビットである。
【００４７】
基地局（または周波数割り当て）がサービング基地局に一緒に位置する場合、一緒に位置した周波数割り当て指示子は“１”に設定される。周波数割り当て構成指示子ビットが“１”に設定される時、基地局は同一周波数割り当て構成、すなわち、基地局がＮＢＲ＿ＡＤＶメッセージを放送する時に同一周波数を有する周波数割り当ての同一数を有する。時間／周波数同期化指示子値は、非同期条件を示すように“００”に設定され、時間同期を示すように“０１”に設定され、時間及び周波数同期化を示すように“１０”に設定される。時間同期化がＯＦＤＭＡ  ＰＨＹで表示される場合、サービング基地局及び隣接基地局により伝送されたダウンリンクフレームは少なくとも１／８周期的プレフィックス長さのレベルに同期化される。周波数同期化がＯＦＤＭＡ  ＰＨＹで表示される場合、基地局基準クロックはＲＦ中心周波数オフセットが隣接基地局と４％未満のＯＦＤＭＡキャリア間隔を有するレベルに同期化される。
【００４８】
基地局ＥＩＲＰ指示子ビット（１ビット）が“１”である場合、基地局ＥＩＲＰはＰＨＹプロファイル識別子に後行する。ＤＣＤ／ＵＣＤ基準指示子ビット（１ビット）が“１”に設定される場合、隣接基地局のＤＣＤ／ＵＣＤ設定はＴＬＶ情報が特定されるまで先行する隣接基地局のＤＣＤ／ＵＣＤ設定と同一である。ＤＣＤ／ＵＣＤ基準指示子ビット（１ビット）が“０”に設定される場合、隣接基地局のＤＣＤ／ＵＣＤ設定はＴＬＶ情報が特定されるまでサービング基地局のＤＣＤ／ＵＣＤ設定と同一である。周波数割り当てインデックス指示子（１ビット）が“１”に設定される場合にだけ、周波数割り当てインデックスはＰＨＹプロファイル識別子に後行する。また、周波数割り当て指示子が先行する場合、ダウンリンク中心周波数はＤＣＤ／ＵＣＤ差ＴＬＶ情報から省略される。１ビットは以後の使用のために保存される。
【００４９】
ＯＦＤＭＡ  ＰＨＹで、物理モード識別子は、チャンネル帯域幅（７ビット）、ＦＥＴサイズ（３ビット）、周期的プレフィックス（２ビット）及びフレーム持続時間コード（４ビット）のようなフィールドを有する。チャンネル帯域幅は１２５Ｋｈｚ単位で表現された帯域幅である。ＦＥＴサイズ（３ビット）について、“０ｂ０１１”の値は２５６のサイズを示す。０ｂ０００−０ｂ０１０及び０ｂ０１００−０ｂ１１１値は保存される。周期的プレフィックス（２ビット）について、“００”、“０１”、“１０”、“１１”は１１／４、１１／８、１／１６及び１／３２の周期的プレフィックスを各々示す。フレーム持続時間コード（４ビット）について、“００００”、“０００１”、“００１０”、“００１１”、“０１００”、“０１０１”、“０１１０”及び“１０００−１１１”の値は２．５ｍｓ、４ｍｓ、５ｍｓ、８ｍｓ、１０ｍｓ、１２．５ｍｓ、２０ｍｓ及び“保存（Ｒｅｓｅｒｖｅｄ）”を各々示す。
【００５０】
図４に示した第１の実施形態の上述した手続きは周期的に実行できる。すなわち、サービング基地局は基地局情報要請を周期的間隔Ｔ２で各々の隣接基地局に伝送し、応答として受信された基地局情報は周期的間隔Ｔ１で移動局加入者に伝送される。
【００５１】
第１の実施形態は、図４に示したように、基地局制御メッセージの直接伝達により達成される。また、管理機能サーバーは、図５に示したように適用される。
【００５２】
図５を参考すれば、管理機能サーバーを利用する隣接基地局情報の伝送方法は、サービング基地局を初期化する段階と、通信網ネットワークを通じてサーバー、すなわち、管理機能サーバーを経由してサービング基地局と隣接基地局との間で基地局間制御メッセージを交換することにより、サービング基地局が隣接基地局の情報を獲得するようにする段階と、サービング基地局とそれに連結された移動局加入者との間の初期化及び登録プロセスを実行する段階と、隣接基地局の情報をサービング基地局からメッセージを通じて移動局加入者に伝達する段階と、隣接基地局情報を獲得する段階を周期的に実行して隣接基地局の周期的に獲得された情報をサービング基地局から移動局加入者に伝達し、隣接基地局の情報を周期的に更新する段階と、を含む。
【００５３】
基地局間制御メッセージは、サーバーから隣接基地局の情報を要請するためのサービング基地局から伝送された第１の基地局情報要請メッセージと、第１の基地局情報要請メッセージによってサーバーから隣接基地局に伝送された第２の基地局情報要請メッセージと、第２の基地局情報要請メッセージに応答して各々の隣接基地局からサーバーに伝送された第１の基地局情報応答メッセージと、サーバーからサービング基地局に伝送された第２の基地局情報応答メッセージと、を含む。
【００５４】
図５を参照すれば、サービング基地局は、初期化プロセスを実行し（ステップＳ５１１）、管理機能サーバーから隣接基地局の情報を要請する（ステップＳ５１２）。この場合、管理機能サーバーは、隣接基地局、すなわち、第１の基地局及び第２の基地局から基地局情報を要請し（ステップＳ５１３、ステップＳ５１４）、各々の隣接基地局から対応する隣接基地局の物理チャンネル特性を含む情報を受信する（ステップＳ５１５、ステップＳ５１６）。管理機能サーバーは、ステップＳ５１２の隣接基地局情報要請に応答して隣接基地局の情報をサービング基地局に伝送する（ステップＳ５１７）。
【００５５】
一方、移動局加入者はサービング基地局上で初期化及び登録プロセスを実行し（ステップＳ５１８）、サービング基地局から隣接基地局の情報を受信する（ステップＳ５１９）。サービング基地局から伝送された隣接基地局の情報は放送制御メッセージを通じて対応するセル内に存在するすべての移動局加入者に共通的に伝送されることができる。
【００５６】
図５に示したように、上述した手続きは周期的に実行できる。すなわち、サービング基地局は基地局情報を周期的間隔Ｔ２で隣接基地局に要請し、隣接基地局から受信された基地局情報を周期的間隔Ｔ１で移動局加入者に伝送する。
【００５７】
［第２の実施形態］
本発明の第２の実施例形態は、サービング基地局からの要請なしに基地局情報を隣接基地局から周期的間隔で周期的に受信して隣接基地局の情報を更新する方法に関する。
【００５８】
本発明の第２の実施形態よる方法は、サービング基地局を初期化する段階と、サービング基地局と隣接基地局との間で基地局間制御メッセージを通信網ネットワークを通じて交換することにより、サービング基地局が隣接基地局の情報を獲得するようにする段階と、サービング基地局とサービング基地局内の移動局加入者との間で初期化及び登録プロセスを実行する段階と、隣接基地局の情報をサービング基地局からメッセージを通じて移動局加入者に伝達する段階と、各々の隣接基地局がその情報をサービング基地局からの要請なしに基地局間制御メッセージを通じてサービング基地局に周期的に伝送して隣接基地局の周期的に獲得された情報をサービング基地局から移動局加入者に伝達し、隣接基地局の情報を周期的に更新する段階と、を含む。
【００５９】
基地局間制御メッセージは、隣接基地局の情報を隣接基地局から要請するようにサービング基地局から伝送された基地局情報要請メッセージと、基地局情報要請メッセージに応答して各々の隣接基地局からサービング基地局に伝送された基地局情報応答メッセージと、を含む。
【００６０】
図６は、本発明の第２の実施形態よる隣接基地局情報伝送方法を示した図である。
【００６１】
図６を参照すれば、サービング基地局は、初期化プロセスを実行し（ステップＳ６１１）、隣接基地局、すなわち、第１の基地局及び第２の基地局から基地局情報を要請する（ステップＳ６１２、ステップＳ６１３）。第１の基地局及び第２の基地局は、各々隣接基地局情報要請に応答してその物理チャンネル特性を含む情報をサービング基地局に伝送する（ステップＳ６１４、ステップＳ６１５）。
【００６２】
一方、サービング基地局の管理ドメインに属する移動局加入者は、サービング基地局に対する初期化及び登録プロセスを実行し（ステップＳ６１６）、サービング基地局から隣接基地局の情報を受信する（ステップＳ６１７）。サービング基地局から伝送された隣接基地局の情報は放送制御メッセージを通じて対応するセル内に存在するすべての移動局加入者に共通的に伝送されることができる。
【００６３】
本発明の第２の実施形態において、隣接基地局はサービング基地局により行われた隣接基地局の情報要請なしにサービング基地局にその情報を周期的に伝送する（ステップＳ６１８〜ステップＳ６２１）。
【００６４】
図７は、本発明の第２の実施形態よる管理機能サーバーを利用する方法を示した図である。この方法は、サービング基地局を初期化する段階と、通信網ネットワークを通じてサーバーを経由してサービング基地局と隣接基地局との間で基地局間制御メッセージを交換することによりサービング基地局が隣接基地局の情報を獲得するようにする段階と、サービング基地局とこの内部の移動局加入者との間の初期化及び登録プロセスを実行する段階と、隣接基地局の情報をサービング基地局からメッセージを通じて移動局加入者に伝達する段階と、各々の隣接基地局がその情報を含む基地局間制御メッセージをサービング基地局からの要請なしにサーバーを通じてサービング基地局に周期的に伝送するようにして、隣接基地局の周期的に獲得された情報をサービング基地局から移動局加入者に伝達し、隣接基地局の情報をサービング基地局内に周期的に更新する段階と、を含む。
【００６５】
基地局間制御メッセージは、サーバーから隣接基地局の情報を要請するためのサービング基地局から伝送された第１の基地局情報要請メッセージと、第１の基地局情報要請メッセージによってサーバーから隣接基地局に伝送された第２の基地局情報要請メッセージと、第２の基地局情報要請メッセージに応答して隣接基地局各々からサーバーに伝送された第１の基地局情報応答メッセージと、サーバーからサービング基地局に伝送された第２の基地局情報応答メッセージと、を含む。
【００６６】
図７を参照すれば、サービング基地局は、初期化プロセスを実行し（ステップＳ７１１）、隣接基地局、すなわち、第１の基地局及び第２の基地局の管理機能サーバー情報に対する要請を受信する（ステップＳ７１２）。この場合、管理機能サーバーは隣接基地局から基地局情報を要請し（ステップＳ７１３、ステップＳ７１４）、隣接基地局から物理チャンネル特性を含む情報を受信する（ステップＳ７１５、ステップＳ７１６）。ステップＳ７１２の隣接基地局情報要請に応答して、管理機能サーバーは隣接基地局の情報をサービング基地局に伝送する（ステップＳ７１７）。
【００６７】
一方、移動局加入者は、サービング基地局上で初期化及び登録プロセスを実行し（ステップＳ７１８）、サービング基地局から隣接基地局の情報を受信する（ステップＳ７１９）。サービング基地局から伝送された隣接基地局の情報は、放送制御メッセージを通じて対応するセル内に存在するすべての移動局加入者に共通的に伝送されることができる。
【００６８】
図７に示したように、管理機能サーバーが隣接基地局に対する基地局情報を要請しなくても、隣接基地局はその情報を管理機能サーバーに周期的に伝送する（ステップＳ７１８、ステップＳ７１９）。一方、管理機能サーバーは隣接基地局の情報がサービング基地局により要請されなくても隣接基地局の情報をサービング基地局に周期的に伝送する（ステップＳ７２０）。
【００６９】
［第３の実施形態］
本発明の第３の実施形態は、対応する隣接基地局の情報が変化する時ごとに各々の隣接基地局がその基地局情報を含むメッセージをサービング基地局に伝送することにより隣接基地局の情報を更新する方法に関する。
【００７０】
本発明の第３の実施形態よる方法は、サービング基地局を初期化する段階と、サービング基地局と隣接基地局との間で基地局間制御メッセージを通信網ネットワークを通じて交換することによりサービング基地局が隣接基地局の情報を獲得するようにする段階と、サービング基地局とサービング基地局の管理ドメインに属する移動局加入者との間で初期化及び登録プロセスを実行する段階と、隣接基地局の情報をサービング基地局からメッセージを通じて移動局加入者に伝達する段階と、各々の隣接基地局がその基地局情報が変化する時ごとにその情報をサービング基地局からの要請なしに基地局間制御メッセージを通じてサービング基地局及び隣接基地局に伝送するようにする段階と、を含み、サービング基地局は変化された基地局情報が各々の隣接基地局から受信される時ごとにその対応する情報を移動局加入者に伝達し、サービング基地局はその内部の各々の隣接基地局の変化された基地局情報を更新する。
【００７１】
基地局間制御メッセージは、隣接基地局の情報を隣接基地局から要請するようにサービング基地局から伝送された基地局情報要請メッセージと、基地局情報要請メッセージに応答して各々の隣接基地局からサービング基地局に伝送された基地局情報応答メッセージと、を含む。
【００７２】
図８は、本発明の第３の実施形態よる隣接基地局情報伝送方法を示した図である。
【００７３】
図８を参照すれば、サービング基地局は、初期化プロセスを実行し（ステップＳ８１１）、隣接基地局、即ち、第１の基地局及び第２の基地局から基地局情報を要請する（ステップＳ８１２、ステップＳ８１３）。第１の基地局及び第２の基地局は各々隣接基地局情報要請に応答してその物理チャンネル特性を含む情報をサービング基地局に伝送する（ステップＳ８１４、ステップＳ８１５）。
【００７４】
一方、移動局加入者は、サービング基地局に対する初期化及び登録プロセスを実行し（ステップＳ８１６）、サービング基地局から隣接基地局の情報を受信する（ステップＳ８１７）。サービング基地局から伝送された隣接基地局の情報は放送制御メッセージを通じて対応するセル内に存在するすべての移動局加入者に共通的に伝送されることができる。この場合、放送制御メッセージは、本発明の第１の実施形態で言及されたメッセージの同一パラメーターを有する。同様に基地局間制御メッセージも本発明の第１の実施形態で言及されたメッセージの同一パラメーターを有する。
【００７５】
本発明の第３の実施形態において、各々の隣接基地局は、その基地局情報が変化する場合（ステップＳ８１８、ステップＳ８２１）、その情報をサービング基地局及び他の隣接基地局に伝送する（ステップＳ８１９、ステップＳ８２０、ステップＳ８２２、ステップＳ８２３）。隣接基地局の情報を受信したサービング基地局は隣接基地局の情報を移動局加入者に伝送する。
【００７６】
図９は、本発明の第３の実施形態よる管理機能サーバーを利用する方法を示した図である。この方法は、サービング基地局を初期化する段階と、サービング基地局と隣接基地局との間で基地局間制御メッセージを通信網ネットワークを通じてサーバーを経由して交換することによりサービング基地局が隣接基地局の情報を獲得するようにする段階と、サービング基地局とサービング基地局内の移動局加入者との間で初期化及び登録プロセスを実行する段階と、隣接基地局の情報をサービング基地局からメッセージを通じて移動局加入者に伝達する段階と、各々の隣接基地局がその基地局情報が変ｋする時ごとにサービング基地局からの要請なしにその変化された情報を含む基地局間制御メッセージをサービング基地局にサーバーを通じて伝達するようにする段階と、を含み、サービング基地局は変化された基地局情報が各々の隣接基地局から受信される時ごとにその対応する情報を移動局加入者に伝達し、サービング基地局はその内部の各々の隣接基地局の変化された基地局情報を更新する。
【００７７】
基地局間制御メッセージは、サーバーから隣接基地局の情報を要請するためのサービング基地局から伝送された第１の基地局情報要請メッセージと、第１の基地局情報要請メッセージによってサーバーから隣接基地局に伝送された第２の基地局情報要請メッセージと、第２の基地局情報要請メッセージに応答して隣接基地局各々からサーバーに伝送された第１の基地局情報応答メッセージと、サーバーからサービング基地局に伝送された第２の基地局情報応答メッセージと、を含む。
【００７８】
図９を参照すれば、サービング基地局は、初期化プロセスを実行し（ステップＳ９１１）、隣接基地局、すなわち、第１の基地局及び第２の基地局の情報を管理機能サーバーから要請する（ステップＳ９１２）。この場合、管理機能サーバーは要請基地局情報を隣接基地局に伝送し（ステップＳ９１３、ステップＳ９１４）、各々の隣接基地局からその物理チャンネル特性を含む情報を受信する（ステップＳ９１５、ステップＳ９１６）。ステップＳ９１２の隣接基地局情報要請に応答して、管理機能サーバーは隣接基地局の情報をサービング基地局に伝送する（ステップＳ９１７）。
【００７９】
一方、移動局加入者は、サービング基地局上で初期化及び登録プロセスを実行し（ステップＳ９１８）、放送制御メッセージなどを通じてサービング基地局から隣接基地局の情報を受信する（ステップＳ９１９）。サービング基地局から伝送された隣接基地局の情報は放送制御メッセージを通じて対応するセル内に存在するすべての移動局加入者に共通的に伝送されることができる。
【００８０】
図９に示したように、各々の隣接基地局の情報が変化する場合（ステップＳ９２０、ステップＳ９２４）、各々の隣接基地局はその変化された基地局情報を管理機能サーバーに伝送する（ステップＳ９２１、ステップＳ９２５）。一方、管理機能サーバーは変化された基地局情報をサービング基地局及び他の隣接基地局に伝送する（ステップＳ９２２、ステップＳ９２３、ステップＳ９２６、ステップＳ９２７）。
【００８１】
上述のように、本発明の第１、第２及び第３の実施形態よれば、サービング基地局は、隣接基地局から基地局間制御メッセージを通じて隣接基地局の情報を受信して、その後にその情報を更新する。サービング基地局は、その後隣接基地局の情報を対応する移動局加入者に提供して移動局加入者が以前に受信された隣接基地局情報を利用して迅速にハンドオーバーを実行するようにする。サービング基地局から隣接基地局の情報を受信する移動局加入者は、信号品質を測定するために所定時間で各々の隣接基地局と臨時に同期化され、その後に必要によって以前に受信された基地局情報を利用してハンドオーバー手続きを実行する。すなわち、移動局加入者は、第１の基地局と、少なくとも一つの隣接基地局のターゲット基地局またはネットワークエントリーのインスタンスと、の間でハンドオーバー動作であることができる、特定用途に対する隣接基地局情報を利用する。
【００８２】
基地局の間で移動局加入者の情報を交換するにもかかわらず、従来には基地局がその情報を通信網ネットワークを通じてお互いに交換するようにする技術を提供することができなかった。その結果、基地局の間で交換された従来の制御メッセージ内に含まれたパラメーターは本発明のパラメーターとは相異なっている。
【００８３】
ハンドオーバー動作は、３ＧＰＰ  ＣＤＭＡモバイル通信システムで移動局加入者（例えば、携帯電話）により決定または制御されないで、むしろハンドオーバー無線ネットワーク制御機を利用してハンドオーバー以前に、ターゲット基地局に対応するハンドオーバーパラメーターのセットを移動局加入者に提供する。一方、本発明では、移動局加入者自体がハンドオーバー動作を決定及び制御し、更新された隣接基地局情報によりあらかじめ通信が可能になってターゲット基地局に関する信号品質をハンドオーバー動作を実行する間またはネットワークエントリーに対して測定することができる。本発明は携帯電話電力制限に起因して３ＧＰＰ  ＣＤＭＡモバイル通信よりは、高電力能力を有するモバイル端末機を利用して携帯用無線インターネットシステムの移動局加入者に一層幅広く適用できる。
【００８４】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【産業上の利用可能性】
【００８５】
本発明は、無線通信システムに適用することができる。
【図面の簡単な説明】
【００８６】
【図１】従来技術によるネットワークトポロジー公知動作を示した図である。
【図２】従来技術による隣接基地局スキャニング動作を示した図である。
【図３】従来技術によるハンドオーバー初期化動作を示した図である。
【図４】本発明の第１の実施形態による隣接基地局情報伝送方法を示した動作フローチャートである。
【図５】第１の実施形態による管理機能サーバーを適用した方法を示した動作フローチャートである。
【図６】本発明の第２の実施形態による隣接基地局情報伝送方法を示した動作フローチャートである。
【図７】第２の実施形態による管理機能サーバーを適用した方法を示した動作フローチャートである。
【図８】本発明の第３の実施形態による隣接基地局情報伝送方法を示した動作フローチャートである。
【図９】第３の実施形態による管理機能サーバーを適用した方法を示した動作フローチャートである。
【図１】
2007536874.tif 000005
【図２】
2007536874.tif 000006
【図３】
2007536874.tif 000007
【図４】
2007536874.tif 000008
【図５】
2007536874.tif 000009
【図６】
2007536874.tif 000010
【図７】
2007536874.tif 000011
【図８】
2007536874.tif 000012
【図９】
2007536874.tif 000013
【国際調査報告】
2007536874.tif 000014
2007536874.tif 000015
2007536874.tif 000016